(57)【要約】【課題】樹脂製蓋物部品の製造において、製造工程の簡略化及び低コスト並びに軽量化を図った蓋物部品の製造方法を提供する。【解決手段】蓋物部品１を、樹脂製インナーパネル２に樹脂製アウターパネル３を接着固定して形成し、インナーパネル２及びアウターパネル３内に設けるリンフォース４は、所定の形状を成す金属体であるリンフォース本体４１に複数の発泡孔４３を穿設して形成し、リンフォース４の内部に通電加熱によって発泡可能な発泡性接着剤４２を内包させて形成する。  そして、インナーパネル２とアウターパネル３とを合わせた状態で発泡性接着剤４２を発泡させるようリンフォース本体４１に通電して発泡させてインナーパネル２及びアウターパネル３を接着固定させると共にリンフォース本体４１を両パネル間に固定させる。【選択図】図１
2010111328.tif 000002
【特許請求の範囲】
【請求項１】
樹脂成形されたインナーパネルにアウターパネルを接着固定して形成する蓋物部品であり、
インナーパネル及びアウターパネルの間には、通電加熱によって発泡可能な発泡性接着剤を内包させ、複数の発泡孔を穿設した発泡接着剤包含金属体を設け、
インナーパネルとアウターパネルとを合わせた状態で金属体に通電し発泡性接着剤を加熱発泡させてインナーパネル及びアウターパネルを接着固定させることを特徴とする蓋物部品。
【請求項２】
樹脂成形されたインナーパネルにアウターパネルを接着固定して蓋物部品の形状をなし、所定の形状を成すリンフォースをインナーパネルとアウターパネルとの間に予め設置されて剛性を確保する蓋物部品であり、
リンフォースは、所定の形状を成す金属体であり複数の発泡孔を穿設して形成し、リンフォースの内部に通電加熱によって発泡可能な発泡性接着剤を内包させてなり、
インナーパネルとアウターパネルとを合わせた状態で金属体に通電し発泡性接着剤を加熱発泡させてインナーパネル及びアウターパネルを接着固定させると共に金属体を両パネル間に固定させることを特徴とする蓋物部品。
【請求項３】
樹脂成形されたインナーパネルにアウターパネルを接着固定して形成する蓋物部品の製造方法であり、
通電加熱によって発泡可能な発泡性接着剤を内包させ複数の発泡孔を穿設した発泡接着剤包含金属体を、インナーパネル及びアウターパネルの間に設置させた後、インナーパネルとアウターパネルとを合わせて位置固定し、発泡接着剤包含金属体に通電することで発泡性接着剤を発泡させて発泡接着剤包含金属体に穿設した発泡孔からはみ出させ、インナーパネルとアウターパネルとを接着固定させることを特徴とする蓋物部品の製造方法。
【請求項４】
樹脂成形されたインナーパネルにアウターパネルを接着固定して蓋物部品の形状をなし、所定の形状を成すリンフォースをインナーパネルとアウターパネルとの間に予め設置されて剛性を確保する蓋物部品の製造方法であり、
所定の形状を成し複数の発泡孔を穿設して形成するリンフォースの内部に、通電加熱によって発泡可能な発泡性接着剤を予め内包させ、発泡性接着剤を内包したリンフォースをインナーパネルとアウターパネルとの間に位置させて後インナーパネルとアウターパネルとを合わせて位置固定し、リンフォースの金属体に通電することで発泡性接着剤を発泡させてリンフォースに穿設した発泡孔からはみ出させてリンフォースをインナーパネルとアウターパネルとの間に接着固定させるとインナーパネルとアウターパネルとを接着固定させることを特徴とする蓋物部品の製造方法。
【請求項５】
前記発泡性接着剤に、低線膨張樹脂発泡剤を用いる請求項１または請求項２に記載の蓋物部品。
【請求項６】
前記発泡性接着剤に、低線膨張樹脂発泡剤を用いる請求項３または請求項４に記載の蓋物部品の製造方法。
【発明の詳細な説明】
【技術分野】
【０００１】
この発明は自動車や大型家電製品等に用いる所謂蓋物といわれる開口部を覆う蓋状の蓋物部品を補強する構造にかかり、詳細には、蓋物部品を製造する際に製造工程を少なくして効率の良い蓋物部品の補強構造に関する。
【背景技術】
【０００２】
例えば自動車のドアやボンネットは、開口部を開閉させるための蓋物といわれる部品であり蓋物部品という。
以下、バックドアを例に従来例を説明する。
従来の蓋物部品１００はハッチバック開口を開閉可能なバックドアであり、従来例図である図４に表すように、開口部の内側となるインナーパネル１０１と、開口部の外側となるアウターパネル１０２とを合わせて形成し、インナーパネル１０１及びアウターパネル１０２はポリプロピレンを成形加工されてなる。
【０００３】
インナーパネル１０１とアウターパネル１０２との間には、蓋物部品１００の剛性を確保するために鋼板リンフォースＲ／Ｆを、剛性が確保できる位置に固定される。更に、蓋物部品１００を開口部に取り付けて開閉可能とするためのヒンジ１０３が上部に取り付けられる。更に下部には、蓋物部品１００が開口部を閉塞した状態でロック可能なように鋼板ロック１０４を設ける。
【０００４】
このような構造を持つ蓋物部品１００では、リンフォースＲ／Ｆはインナーパネルにボルトにより締結していた。またヒンジ１０３や鋼板ロック１０４も同様にボルト等によりインナーパネル１０１へ固定していた。
インナーパネル１０１へリンフォースＲ／Ｆ等を締結固定した後に、インナーパネル１０１の周囲部等所定の場所にウレタン接着剤１０５を塗布し、図５に表すようにインナーパネル１０１とアウターパネル１０２とを接着固定して蓋物部品１００を製造していた。また、リアウィンドーは、アウターパネル１０２の開口部周囲にやはりウレタン接着剤１０５を塗布し、ウィンドーガラス１０６をアウターパネル１０２へ接着固定していた。
【０００５】
図６は、製造後の従来の蓋物部品１００を表し、(ａ)は全体斜視説明図であり、(ｂ)は(ａ)のＡ−Ａ線断面説明図である。図６から判るとおり、従来の蓋物部品１００は、インナーパネル１０１とアウターパネル１０２との間にリンフォースＲ／Ｆが位置されており、図６(ｂ)には表れないが、リンフォースＲ／Ｆは他の部位でインナーパネル１０１と強固に締結されている必要があった。
【発明の開示】
【発明が解決しようとする課題】
【０００６】
上記のように蓋物部品１００を形成する場合、リンフォースＲ／Ｆをボルト締結する工程を経て後、インナーパネル１０１及びアウターパネル１０２を接着固定する工程とを必要とし、製造にはこの２工程が必須となっていた。
また、リンフォースＲ／Ｆは、インナーパネル１０１及びアウターパネル１０２並びに接着剤１０５が軽量な素材であるにも拘らず鋼板により形成しているので、全体の重量に占める割合が大きく、樹脂成形した蓋物部品１００の総重量をそれほど軽いものにできないという問題点を有した。
【０００７】
この発明は、上記問題点に鑑み、樹脂成形した蓋物部品１００の総重量を更に軽減すると共に製造工程を簡略化可能な蓋物部品を提供する。
【課題を解決するための手段】
【０００８】
そこで軽量化及び製造の簡略化を図り、同一工程でリンフォースＲ／Ｆによる補強と接着を兼ねた蓋物部品として、樹脂成形されたインナーパネルにアウターパネルを接着固定して形成する蓋物部品であり、
インナーパネル及びアウターパネルの間には、通電加熱によって発泡可能な発泡性接着剤を内包させ、複数の発泡孔を穿設した発泡接着剤包含金属体を設け、
インナーパネルとアウターパネルとを合わせた状態で金属体に通電し発泡性接着剤を加熱発泡させてインナーパネル及びアウターパネルを接着固定させることを特徴とする蓋物部品、及び、樹脂成形されたインナーパネルにアウターパネルを接着固定して蓋物部品の形状をなし、所定の形状を成すリンフォースをインナーパネルとアウターパネルとの間に予め設置されて剛性を確保する蓋物部品であり、リンフォースは、所定の形状を成す金属体であり複数の発泡孔を穿設して形成し、リンフォースの内部に通電加熱によって発泡可能な発泡性接着剤を内包させてなり、インナーパネルとアウターパネルとを合わせた状態で金属体に通電し発泡性接着剤を加熱発泡させてインナーパネル及びアウターパネルを接着固定させると共に金属体を両パネル間に固定させることを特徴とする蓋物部品を提供する。
【０００９】
また該蓋物部品の製造方法として、樹脂成形されたインナーパネルにアウターパネルを接着固定して形成する蓋物部品の製造方法であり、
通電加熱によって発泡可能な発泡性接着剤を内包させ複数の発泡孔を穿設した発泡接着剤包含金属体を、インナーパネル及びアウターパネルの間に設置させた後、インナーパネルとアウターパネルとを合わせて位置固定し、発泡接着剤包含金属体に通電することで発泡性接着剤を発泡させて発泡接着剤包含金属体に穿設した発泡孔からはみ出させ、インナーパネルとアウターパネルとを接着固定させることを特徴とする蓋物部品の製造方法、及び、樹脂成形されたインナーパネルにアウターパネルを接着固定して蓋物部品の形状をなし、所定の形状を成すリンフォースをインナーパネルとアウターパネルとの間に予め設置されて剛性を確保する蓋物部品の製造方法であり、所定の形状を成し複数の発泡孔を穿設して形成するリンフォースの内部に、通電加熱によって発泡可能な発泡性接着剤を予め内包させ、発泡性接着剤を内包したリンフォースをインナーパネルとアウターパネルとの間に位置させて後インナーパネルとアウターパネルとを合わせて位置固定し、リンフォースの金属体に通電することで発泡性接着剤を発泡させてリンフォースに穿設した発泡孔からはみ出させてリンフォースをインナーパネルとアウターパネルとの間に接着固定させるとインナーパネルとアウターパネルとを接着固定させることを特徴とする蓋物部品の製造方法を提供する。
【００１０】
上記発明では、樹脂成形されたインナーパネルとアウターパネルとを有らせた状態で、金属体により形成される発泡接着剤包含金属体に通電し、発泡接着剤包含金属体に内包する発泡性接着剤を発泡させる。すると、発泡された発泡性接着剤は発泡接着剤包含金属体内に収まらなくなり金属体に穿設した発泡孔から外部へとはみ出して膨張を続けることとなる。
膨張した発泡性接着剤は、発泡接着剤包含金属体外でインナーパネル及びアウターパネルに到達して発泡接着剤包含金属体を包含してインナーパネル及びアウターパネルを接着固定する。
すると、インナーパネルとアウターパネルとが接着されると共に、接着された両パネル間で金属体である発泡接着剤包含金属体が位置固定される。従って、発泡接着後の蓋物部品は、インナーパネル、アウターパネル、発泡接着剤包含金属体、発砲後の発泡性接着剤によって構成され、それぞれが接着固定されることで蓋物部品に必要な剛性を備えている。尚、これとは別に、剛性を必要とする場合にはリンフォースを設ける場合もある。
また、発泡接着剤包含金属体としてリンフォースを用いて良い。
この場合、剛性確保等の目的で使用されるリンフォースが発泡接着剤包含金属体を兼ねるので、部品点数を減らすことができる。
そしてこの場合には、樹脂成形されたインナーパネルとアウターパネルとを有らせた状態で、金属体により形成されるリンフォースに通電し、リンフォースに内包する発泡性接着剤を発泡させる。すると、発泡された発泡性接着剤はリンフォース内に収まらなくなり金属体に穿設した発泡孔から外部へとはみ出して膨張を続けることとなる。
膨張した発泡性接着剤は、リンフォース外でインナーパネル及びアウターパネルに到達してリンフォースを包含してインナーパネル及びアウターパネルを接着固定する。
すると、インナーパネルとアウターパネルとが接着されると共に、接着された両パネル間で金属体であるリンフォースが位置固定される。従って、発泡接着後の蓋物部品は、インナーパネル、アウターパネル、リンフォース、発砲後の発泡性接着剤によって構成され、それぞれが接着固定されることで蓋物部品に必要な剛性を備えている。
【発明の効果】
【００１１】
従って、この発明によれば、蓋物部品の製造工程が、インナーパネルとアウターパネルとの間にリンフォースを位置させた状態でインナーパネルとアウターパネルとを突き合わせて位置させた状態で通電するだけで製造可能となり、ボルトによる締結等を有する従来の製造工程に比し短時間で製造が可能となるという効果を有する。そして、リンフォースの固定とウレタン接着時によるインナーパネルとアウターパネルとの接着を同時に下降可能となるため、作業時間の短縮に加え製造コストの低減を図ることが可能となる。
【００１２】
また、蓋物部品が発泡性接着剤によってインナーパネルとアウターパネルとの間にリンフォースを包含した状態で固定されるので、リンフォースに複数の発泡孔を有するものの、金属体内に包含されて固まった発泡性接着剤によって更に補強されるので、充分な剛性を得ることが可能となり、且つ、軽量化を図れるという効果を有する。
【００１３】
更にまた、この発明に用いる発泡性接着剤に、低線膨張樹脂発泡剤を用いることにより、インナーパネル及びアウターパネルの熱膨張抑制が可能であり、インナーパネルとアウターパネルとの製造時の熱変形をも防止可能である。
【実施例１】
【００１４】
以下に、この発明の実施例を図面に基づき説明する。図１はこの発明の実施例を表す斜視組立説明図であり、図２は図１の一部拡大断面説明図であり（ａ）は加工前の状態を表し、（ｂ）は加工後の状態を表し、図３はこの発明の部品の配置を表し、（ａ）は加工前を、（ｂ）は加工後をそれぞれ表す。
【００１５】
１はこの発明にかかる蓋物部品である。蓋物部品１は、この実施例では自動車のハッチバック開口部を開閉するためのバックドアを蓋物部品１として説明するが、開口部に取り付けて開口部を被覆するための部品であれば、ハッチバック開口部以外のどの様な開口部に設けるものであってもよい。
【００１６】
蓋物部品１は、インナーパネル２とアウターパネル３とを付け合わせて固定して形成し、内部には蓋物部品１の剛性を得るためのリンフォース４を内包している。また、蓋物部品１は、この実施例ではバックドアなので、上部にリアウィンドー開口部１１を開口してなり、従って、インナーパネル２及びアウターパネル３にもこの開口が穿設されている。尚、この実施例では、リンフォース４に発泡接着剤包含金属体を兼ねさせるので、リンフォース４が発泡接着剤包含金属体を構成する。
【００１７】
インナーパネル２は、樹脂により所定形状に成形されてなる。インナーパネル２を構成する樹脂は、この実施例ではポリプロピレングラスファイバーを用いてなる。インナーパネル２の周囲部及びリアウィンドー開口部１１周囲部には、インナーパネル２をアウターパネル３と接着固定するためのウレタン接着剤５が塗布される。
【００１８】
アウターパネル３は、インナーパネル２と同様にポリプロピレンによって、アウターパネル３とインナーパネル２とを当接した際に両パネル２、３間に間隙を形成する所定形状に形成されてなる。また、アウターパネル３には、ウィンドー開口部１１の周囲部に予めウレタン接着剤を塗布してバックウィンドーガラス３１が予め接着される。なお、アウターパネル３は、ポリプロピレン以外に、ポリカーボネート樹脂やＡＢＳ樹脂などにより形成しても良く、適宜選択されればよい。
【００１９】
リンフォース４は、左右対称な所定形状の２部品からなり、底部で鋼板ロック６によりより連結され、２部品それぞれの上部には鋼板ヒンジ７が固定される。なお、この実施例では、左右対称のリンフォース４へ、鋼板ロック６及び鋼板ヒンジ７を組立時にそれぞれ固定してリンフォース４全体の形状を形成したが、別工程などで予めリンフォース４へ鋼板ロック６及び鋼板ヒンジ７を固定しておいても良く、あるいはどちらか一方のみを予め固定しておいても良い。リンフォース４は、インナーパネル２とアウターパネル３との間隙形状に合わせた形状であれば良く、この実施例では左右対称の２部品からなるが、特に左右対称である必要はない。
上記のような形状を成すリンフォース４は、図３（ａ）に表すように、構造体となる金属板をプレス加工成形して形成したリンフォース本体４１と、折曲加工されたリンフォース本体４１内に内包される発泡性接着剤４２とからなる。
【００２０】
リンフォース本体４１は、複数の発泡孔４３が内方まで貫通するように穿設されてなる。従って、リンフォース本体４１は、剛性を備えながら且つ発泡孔４３を穿設していれば良く、例えばパンチングメタルやエキスパンドメタル等をプレス成形して形成してもよい。但し発泡孔４３は、リンフォース本体４１に内包する発泡性接着剤４２が発泡して発泡孔４３からリンフォース本体４１外部へ溢れ出したときに、リンフォース本体４１全体を包み込んで、且つ、外方に位置するインナーパネル２及びアウターパネル３へと到達できるように、満遍なく穿設されているのが好ましい。従って、従来のような構造のリンフォースも利用可能であるが、従来のリンフォースに所々穿設されるような軽量化を目的とした孔のみでは足りない場合があるので、この場合には更に塾数の発泡孔４３を穿設しておく。
【００２１】
リンフォース本体４１に内包される発泡性接着剤４２は、この発明では、低線膨張樹脂発泡剤であり、具体的にはエポキシ系の高剛性発泡接着剤を用いる。そして、発泡性接着剤４２は、加熱されることで発泡し、冷却時には発泡時に当接した部位と接着して硬化し該部位と接着固定される。
尚、この実施例では、リンフォース４が発泡接着剤包含金属体を形成するので、発泡接着剤包含金属体を別途設けないが、リンフォース４としての機能を有しない金属体に複数の発泡孔を穿設し、該金属体に発泡性接着剤４２を包含させてインナーパネル２及びアウターパネル３間に位置させるようにしても良い。この場合、発泡性接着剤４２が比較的堅い場合には、金属体を所謂エキスパンドパネルなど、低剛性のものでも何ら支障はない。
【００２２】
鋼板ロック６は、従来同様、蓋物部品１を車輌のバックドア開口へ閉塞固定されるための部品である。鋼板ロック６は、従来の自動車同様に鋼板ロック６を開閉操作することでバックドアの開閉が可能となっている。鋼板ロック６は、従来の鋼板ロックと何ら変更ないが、２部品からなるリンフォース本体４１を電気的に接続するために導電性部材から形成される。
【００２３】
鋼板ヒンジ７は、従来から用いられているヒンジと何ら変わらない。鋼板ヒンジ７は、金属体を成形してなり導電性を有している。鋼板ヒンジ７は、２部品からなるリンフォース本体４１のそれぞれの上部に電気的に導通状態を保つように固定される。
従って、上記のように鋼板ロック６及び鋼板ヒンジ７を固定させたリンフォース本体４１は、２つの鋼板ヒンジ７に電極をつなげて電圧を印加すると導通状態となる。
尚、この実施例では、リンフォース本体４１を左右対称な２部品から形成して底部で鋼板ロック６が電気的に連結するように形成するが、リンフォース本体４１を下部が連結されている１部品から形成してもよい。
【００２４】
８は電源である。電源８は、電圧を印加可能な一対の電極８１を備える。電極８１は、リンフォース４に取り付けられた２つの鋼板ヒンジ７それぞれ接続される。そして、電源８は、電圧を印加した際に発泡性接着剤４２が発泡可能な電力を供給可能であればよい。
【００２５】
次に、上記のように形成する蓋物部品１の製造方法を順を追って説明する。
先ず、ウレタン接着剤５をインナーパネル２及びアウターパネル３の所定箇所へ塗布する。また、リンフォース４をインナーパネル２の所定位置に設置する。この時、リンフォース４には、それぞれのリンフォース本体４１に鋼板ロック６及び鋼板ヒンジ７が予め固定されている。
この状態でアウターパネル３をインナーパネル２と付き合わせて位置固定する。
アウターパネル３には、予めウレタン接着剤５によってバックウィンドーガラス３１が取り付けられている。
【００２６】
次いで、鋼板ヒンジ７に電源８の電極８１を接続する。
この状態で、電源８により電気を印加すると、鋼板ヒンジ７を通してリンフォース４に電流が流れ、リンフォース本体４１が加熱される。リンフォース本体４１の加熱によってリンフォース本体４１に内包された発泡性接着剤４２が所定温度となり発泡される。
発泡性接着剤４２が発泡すると、図２（ｂ）及び図３（ｂ）に表すように、膨張して体積を増した発泡性接着剤４２がリンフォース本体４１に穿設した発泡孔４３から外部へと発泡を続け、やがて、インナーパネル２及びアウターパネル３へと到達することとなる。
【００２７】
この時、図２に表すようなリンフォース４周囲部が狭小の部位では、発泡性接着剤４２がインナーパネル２とアウターパネル３との間隙に充満した状態となる。また、蓋物部品１の中間部のようにリンフォース４が設置されたインナーパネル２とアウターパネル３との間隙周囲部に大きく空間を有する部位でも、発泡性接着剤４２が四方に発泡するので、少なくともインナーパネル２及びアウターパネル３側の発泡孔４３から発泡して出た発泡性接着剤４２は、他の周囲から発泡して出た発泡性接着剤４２によって他方への行き場を制限されるので、インナーパネル２及びアウターパネル３へと到達することとなる。
【００２８】
そして、電源８による所定時間の通電を終了すると、発泡性接着剤４２が冷却して硬化し、インナーパネル２とアウターパネル３とをリンフォース４のリンフォース本体４１を介して接着させることとなり、蓋物部品１は所定の機械的強度を持って形成される。
【産業上の利用可能性】
【００２９】
この発明は、自動車等の開口部を被覆する蓋物部品の製造に利用可能である。
【図面の簡単な説明】
【００３０】
【図１】この発明の実施例を表す斜視組立説明図
【図２】図１の一部拡大断面説明図であり（ａ）は加工前の状態、（ｂ）は加工後の状態
【図３】この発明の部品の配置を表し、（ａ）は加工前の状態、（ｂ）は加工後の状態
【図４】従来例を表す斜視組立説明図
【図５】従来例の組立終了状態を表す斜視組立説明図
【図６】図４のＡ−Ａ線断面を表す断面説明図
【符号の説明】
【００３１】
１  蓋物部品
１１  リアウィンドー開口部
２  インナーパネル
３  アウターパネル
３１  バックウィンドーガラス
４  リンフォース
４１  リンフォース本体
４２  発泡性接着剤
４３  発泡孔
５  ウレタン接着剤
６  鋼板ロック
７  鋼板ヒンジ
８  電源
８１  電極
【図１】
2010111328.tif 000003
【図２】
2010111328.tif 000004
【図３】
2010111328.tif 000005
【図４】
2010111328.tif 000006
【図５】
2010111328.tif 000007
【図６】
2010111328.tif 000008